(57)【特許請求の範囲】
【請求項１】
ガスを供給するインフレータと、
車両の座席の側部に設置され該側部から車両前方に前記ガスによって膨張可能なエアバッグクッションと、
前記エアバッグクッションの所定箇所に設けられて前記ガスを排出するベントホールと、
前記ベントホールを前記エアバッグクッションの外側から覆っていて、該ベントホールよりも車両前方で該エアバッグクッションに結合されているパッチと、
前記パッチに開けられていて前記ベントホールと重なることが可能な開口と、
紐状であって前記パッチから前記座席の側部の所定箇所まで延び、前記エアバッグクッションの膨張展開時に該パッチを車両後方に引っ張ることが可能な延伸部と、
前記座席の側部に設置され所定の条件下で前記延伸部を切断可能な切断装置とを備え、
前記切断装置が作動状態では、前記パッチを車両前方に位置させ前記開口と前記ベントホールとを重ねた状態にでき、
前記切断装置が非作動な状態では、前記パッチは前記延伸部により前記エアバッグクッションの後方に引っ張られ、前記エアバッグクッションの前記ベントホールの存在する領域に皺が寄ることで前記ベントホールが塞がれるように構成されることを特徴とするサイドエアバッグ装置。
【請求項２】
当該サイドエアバッグ装置は、前記ベントホールよりも車両後方で前記パッチを上下方向に跨ぐように前記エアバッグクッションに結合され、前記パッチの車両前後方向の動きを案内するガイド布をさらに備えることを特徴とする請求項１に記載のサイドエアバッグ装置。
【請求項３】
前記所定の条件は、前記車両の衝突速度が所定値以上の場合であることを特徴とする請求項１または２に記載のサイドエアバッグ装置。
【請求項４】
前記延伸部は、前記パッチとは別体のテザーであることを特徴とする請求項１から３のいずれか１項に記載のサイドエアバッグ装置。
【請求項５】
前記延伸部は、前記パッチから連続した該パッチよりも幅の細い部位であることを特徴とする請求項１から３のいずれか１項に記載のサイドエアバッグ装置。
【請求項６】
前記パッチは、前記ベントホールの少なくとも上下の高さ位置にわたって前記エアバッグクッションに結合されていることを特徴とする請求項１から５のいずれか１項に記載のサイドエアバッグ装置。
【発明の詳細な説明】
【技術分野】
【０００１】
本発明は、ガスを供給するインフレータと、車両の座席の側部に設置され側部から車両前方にガスによって膨張可能なエアバッグクッションとを備えたサイドエアバッグ装置に関するものである。
【背景技術】
【０００２】
近年の車両にはエアバッグ装置がほぼ標準装備されている。エアバッグ装置は、車両衝突などの緊急時に作動する安全装置であって、ガス圧でエアバッグクッションを膨張展開させて乗員を受け止めて保護する。エアバッグ装置には、設置箇所や用途に応じて様々な種類がある。例えば、前後方向からの衝突から運転者を守るために、ステアリングの中央にはフロントエアバッグ装置が設けられている。その他にも、側面衝突等による車幅方向からの衝撃から乗員を守るために、サイドウィンドウの上方の天井付近にはカーテンエアバッグ装置が設けられ、座席の側部にはサイドエアバッグ装置が設けられている。
【０００３】
エアバッグ装置のエアバッグクッションが膨張展開して乗員を拘束するとき、乗員はエアバッグクッションに衝突しその反力を受ける。乗員がエアバッグクッションから受ける反力は、例えば車両衝突時の衝突速度に比例して大きくなる。エアバッグクッションから受ける反力が高すぎると、乗員の傷害値が高まることが予測されるため、この反力を抑える対策が要請されている。
【０００４】
特許文献１には、インフレータから供給されるガスを外部に排出するベントホールと、ベントホールの開口面積を可変とするベントホール可変手段とを備えたサイドエアバッグ装置が記載されている。
【０００５】
特許文献１では、膨張展開初期にベントホールの開口面積を大きくしてエアバッグクッションの膨張展開力を低減させ、膨張展開後期に開口面積を小さくまたはベントホールを閉じて膨張展開後の乗員保護能力を向上させる、としている。
【先行技術文献】
【特許文献】
【０００６】
【特許文献１】特開２００１−１１４０６５号公報
【発明の概要】
【発明が解決しようとする課題】
【０００７】
しかし、特許文献１に記載の技術では、膨張展開初期にエアバッグクッションの膨張展開力を低減させるため、エアバッグクッションを迅速に展開できず、乗員拘束を早期に行うことが困難となる。また、膨張展開後期にベントホールの開口面積を小さくまたは閉じているため、乗員がエアバッグクッションから受ける反力を抑制できない。
【０００８】
本発明は、このような課題に鑑み、乗員拘束を早期に行うことができ、さらにエアバッグクッションから乗員が受ける反力を抑制できるサイドエアバッグ装置を提供することを目的としている。
【課題を解決するための手段】
【０００９】
上記課題を解決するために、本発明にかかるサイドエアバッグ装置の代表的な構成は、ガスを供給するインフレータと、車両の座席の側部に設置され側部から車両前方にガスによって膨張可能なエアバッグクッションと、エアバッグクッションの所定箇所に設けられてガスを排出するベントホールと、ベントホールをエアバッグクッションの外側から覆っていて、ベントホールよりも車両前方でエアバッグクッションに結合されているパッチと、パッチに開けられていてベントホールと重なることが可能な開口と、紐状であってパッチから座席の側部の所定箇所まで延び、エアバッグクッションの膨張展開時にパッチを車両後方に引っ張ることが可能な延伸部と、座席の側部に設置され所定の条件下で延伸部を切断可能な切断装置とを備え、切断装置が作動状態では、パッチを車両前方に位置させ開口とベントホールとを重ねた状態にでき、切断装置が非作動な状態では、パッチは延伸部によりエアバッグクッションの後方に引っ張られ、エアバッグクッションのベントホールの存在する領域に皺が寄ることでベントホールが塞がれるように構成されることを特徴とする。
【００１０】
上記構成によれば、パッチは、ベントホールよりも車両前方でエアバッグクッションに結合されている。そのためパッチは、切断装置が非作動な状態で延伸部が切断されていないとき、エアバッグクッションの膨張展開時に延伸部よって車両後方に引っ張られる。すると、延伸部は、エアバッグクッションのうちパッチが結合されている箇所よりも車両後方のベントホールの位置する領域（部位）を、幾重にも折り重なった皺を形成するよう皺ませる。これによってベントホールは皺の中で閉じられ塞がれる。このとき延伸部に引っ張られたパッチがエアバッグクッションを車両前後方向に縮めているために、エアバッグクッションの車両前後方向の寸法が短くなる一方で、車幅方向の寸法である厚みが増す。これによりエアバッグクッションが乗員に接近するため、乗員拘束をより早期に行うことができる。
【００１１】
一方、所定の条件下で切断装置が作動状態となり延伸部が切断されると、エアバッグクッションの膨張展開力によってパッチが車両前方に動き、さらにエアバッグクッションの皺がなくなり皺の中で閉じられていたベントホールが開く。そしてパッチの開口がベントホールと重なることで、エアバッグクッション内のガスを外部に排出でき、乗員がエアバッグクッションに衝突した時に受ける反力を抑えることができる。
【００１２】
上記のサイドエアバッグ装置は、ベントホールよりも車両後方でパッチを上下方向に跨ぐようにエアバッグクッションに結合され、パッチの車両前後方向の動きを案内するガイド布をさらに備えるとよい。これにより、パッチは、ガイド布に案内されこれを通過しながら、延伸部の切断前には延伸部に引っ張られ車両後方に動き、延伸部の切断後には膨張展開力によって車両前方に動く。つまりパッチは、ガイド布に案内され車両前後方向に動くため、車両上下方向の位置が安定する。よって延伸部の切断後、パッチの開口は、エアバッグクッションのベントホールと確実に重なることができる。
【００１３】
上記の所定の条件は、車両の衝突速度が所定値以上の場合とするとよい。車両の衝突速度が高いほど乗員がエアバッグクッションから受ける反力が大きくなり、乗員の傷害値が高まる（悪化する）ことが予測される。そこで上記の通り、衝突速度が所定値以上の場合には切断装置を作動させ、ガスをエアバッグクッションの外部に排出する。このようにすれば、乗員がエアバッグクッションから受ける反力を抑制し、乗員の傷害値を抑えることができる。
【００１４】
上記の延伸部は、パッチとは別体のテザーとしてよい。このように、延伸部として紐状のテザーを用いたので取り回しがよく、また切断装置で切断し易くなる。
【００１５】
上記の延伸部は、パッチから連続したパッチよりも幅の細い部位としてもよい。このように、カバー布の幅を細くした部位を延伸部としたので、別体の布を用意せず延伸部を形成できる。
【００１６】
上記のパッチは、ベントホールの少なくとも上下の高さ位置にわたってエアバッグクッションに結合されているとよい。これにより、エアバッグクッションのうちベントホールの位置する範囲を皺ませてベントホールを塞ぐことがより確実に可能となる。
【発明の効果】
【００１７】
本発明によれば、乗員拘束を早期に行うことができ、さらにエアバッグクッションから受ける反力を抑制できるサイドエアバッグ装置を提供することができる。
【図面の簡単な説明】
【００１８】
【図１】本発明の実施形態におけるサイドエアバッグ装置を例示する概略図である。
【図２】図１のサイドエアバッグ装置が膨張展開した状態を例示する図である。
【図３】図２のサイドエアバッグ装置の一部を例示する図である。
【図４】図２のサイドエアバッグ装置の膨張展開時でテザーの切断前の状態を例示する図である。
【図５】図４のサイドエアバッグ装置の一部を例示する図である。
【図６】図４のサイドエアバッグ装置を上方から見た状態を例示する模式図である。
【発明を実施するための形態】
【００１９】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００２０】
図１は、本発明の実施形態におけるサイドエアバッグ装置を例示する概略図である。サイドエアバッグ装置１００は、車両１０２内の座席１０４のシートバック１０６に内蔵されている。サイドエアバッグ装置１００は、シートバック１０６の車外側に設けられていて、座席１０４とサイドドア１０８との間で膨張展開する図２に示すエアバッグクッション（以下、クッション１１０）を備える。
【００２１】
図２は、図１のサイドエアバッグ装置１００が膨張展開した状態を例示する図である。図中では、車両１０２内の座席１０４に乗員１１２が着座した状態を車両側方から見た様子を示す。なお、図中左側が車両前側となり、手前側が車外側となる。
【００２２】
図２に例示するように、サイドエアバッグ装置１００は、クッション１１０と、クッション１１０に膨張展開用のガスを供給するインフレータ１１４とを備える。クッション１１０は、緊急時に膨張展開し乗員を拘束する部位であって、膨張展開前はシートバック１０６の車幅方向の側部に巻回または折り畳まれて収納されている。
【００２３】
クッション１１０は、車両の衝撃が検知されると、インフレータ１１４から供給されるガスを利用して、シートバック１０６の側部から車両前方に膨張展開し、図２に示すように乗員１１２の胸部などを保護する。本実施形態では、クッション１１０を、シートバック１０６のドア側の側部（ニアサイド）に設けているが、車内側の側部（ファーサイド）にも設置可能である。
【００２４】
クッション１１０は、全体的に扁平な形状を有していて、その外表面は、車外側の基布１１６と車内側の基布１１８とで構成されている。基布１１６、１１８は、縫製や接着などによって全体的に袋状に形成されている。またクッション１１０は、ＯＰＷ（One-Piece Woven）を用いての紡織などによっても形成可能である。
【００２５】
インフレータ１１４は、クッション１１０の内部の車両後方側に取付けられている。インフレータ１１４はガス発生装置であって、本実施形態ではシリンダ型（円筒型）のものを採用している。インフレータ１１４は車両側と電気的に接続し、車両側から衝撃の検知に起因する信号を受けて作動しクッション１１０にガスを供給する。インフレータ１１４は、シートバック１０６のシートフレーム１２０（図６参照）などに締結するスタッドボルト１２２を有する。スタッドボルト１２２がクッション１１０を貫通してシートバック１０６に締結されることで、クッション１１０もシートバック１０６に取り付けられている。
【００２６】
なお現在普及しているインフレータには、ガス発生剤が充填されていてこれを燃焼させてガスを発生させるタイプや、圧縮ガスが充填されていて熱を発生させることなくガスを供給するタイプ、または燃焼ガスと圧縮ガスとを両方利用するハイブリッドタイプのものなどがある。本実施形態のインフレータ１１４としては、いずれのタイプのものも利用可能である。
【００２７】
図３は、図２のサイドエアバッグ装置１００の一部を例示する図である。図３（ａ）は、サイドエアバッグ装置１００の一部の拡大図である。図３（ｂ）は、図３（ａ）のサイドエアバッグ装置１００のＡ−Ａ断面図である。クッション１１０の基布１１６には、ベントホール１２４が設けられている。ベントホール１２４は、基布１１６の車両前方側の縁のやや車両後方に位置していて、インフレータ１１４から供給されたガスをクッション１１０の内部から排出する。
【００２８】
またクッション１１０の基布１１６には、車両前後方向に長尺のパッチ１２６が結合されている。パッチ１２６は、図３に示すようにベントホール１２４よりも車両前方に位置する第１結合部１２８で基布１１６に結合されていて、ベントホール１２４を基布１１６の外側から覆っている。またパッチ１２６は、図３（ａ）に示すように、ベントホール１２４の少なくとも上下の高さ位置１２９にわたって基布１１６に結合されている。
【００２９】
パッチ１２６には紐状のテザー１３０が接続されている。テザー１３０は、パッチ１２６から、例えば座席１０４のシートバック１０６の側部に位置する第２結合部１３２まで延びる延伸部であって、第２結合部１３２に結合されている。ただし図３では、切断装置としてのテザーカッター１３４によって切断された状態のテザー１３０を実線で示し、切断前のテザー１３０の位置を仮想線で示している。
【００３０】
図３（ａ）に示すように、パッチ１２６には、クッション１１０の膨張展開時であってテザー１３０の切断後の状態で、ベントホール１２４と重なることが可能な開口１３６が形成されている。図３（ｂ）には、クッション１１０の膨張展開時であってテザー１３０の切断後での第１結合部１２８と第２結合部１３２との間の寸法を、第１寸法Ｌａとして示している。なお図３（ｂ）に示す基布１１６は、クッション１１０の外面の形状に沿って湾曲している場合もあるが、ここでは、車両前後方向に沿った直線に合わせて模式的に示している。
【００３１】
図２に示すテザーカッター１３４は、小型で筒形状のカッターであって、座席１０４のシートバック１０６の側部の所定箇所にクッション１１０等と共に設置されている。一例としてテザーカッター１３４の内部には、図示を省略する刃を有するシリンダおよびマイクロガスジェネレータが配置されている。テザーカッター１３４は、車両側の電源やセンサ等さらには制御部１３８と電気的に接続される。
【００３２】
図２に示す制御部１３８は、所定の条件下でテザーカッター１３４に作動信号を印加し、テザーカッター１３４を作動させる。テザーカッター１３４は、作動信号を受けるとシリンダ内の刃を可動し、テザー１３０を切断する。
【００３３】
ここで、車両衝突時の衝突速度が高いほど乗員１１２がクッション１１０に衝突した時にクッション１１０から受ける反力が大きくなり、乗員の傷害値が高まると予想される。そこで本実施形態では、上記の所定の条件を、センサから得られる車両衝突時の衝突速度が所定値以上の場合としている。この場合にテザーカッター１３４を作動させることで、重なり合ったパッチ１２６の開口１３６および基布１１６のベントホール１２４を通してガスをクッション１１０の外部に排出できる。
【００３４】
このようにすれば、乗員１１２がクッション１１０から受ける反力を抑制し、乗員１１２の傷害値を抑えることができる。なお乗員１１２がクッション１１０から受ける反力は、衝突速度に限らず乗員の体格や体重など他の要因によっても変化するため、これらの要因も考慮して、テザーカッター１３４を作動させる条件を適宜設定してよい。
【００３５】
さらにクッション１１０の基布１１６には、ガイド布１４０が結合されている。ガイド布１４０は、図３（ａ）に示すように、ベントホール１２４よりも車両後方でパッチ１２６を上下方向に跨ぐように基布１１６に結合されている。つまり、ベントホール１２４は、基布１１６のうち第１結合部１２８とガイド布１４０との間の部位１４２に位置している。つまり基布１１６の部位１４２は、クッション１１０のベントホール１２４の存在する領域である。
【００３６】
図４は、図２のサイドエアバッグ装置１００の膨張展開時でテザー１３０の切断前の状態を例示する図である。図５は、図４のサイドエアバッグ装置１００の一部を例示する図である。図５（ａ）は、サイドエアバッグ装置１００の一部の拡大図である。図５（ｂ）は、図５（ａ）のサイドエアバッグ装置１００のＢ−Ｂ断面図である。
【００３７】
図４に示すサイドエアバッグ装置１００では、クッション１１０の膨張展開時でテザー１３０が切断されていず、テザー１３０がパッチ１２６を車両後方に引っ張ることで、基布１１６に皺１４４を形成している。
【００３８】
皺１４４は、図５（ａ）に示すように、基布１１６のうち第１結合部１２８とガイド布１４０との間の上記部位１４２で、幾重にも折り重なって形成されている。そして基布１１６の部位１４２は、図３（ａ）に示したようにベントホール１２４が位置している。このため、ベントホール１２４は、図５（ｂ）のように上記領域である部位１４２の皺１４４の中で閉じられ塞がれることになる。
【００３９】
またパッチ１２６は、テザー１３０によって車両後方に引っ張られると、ガイド布１４０に案内されながら車両後方に動く。つまり、パッチ１２６は、ガイド布１４０を通過して車両上下方向の位置が安定した状態で車両後方に動き、第１結合部１２８よりも車両後方のベントホール１２４の存在する領域である部位１４２を、皺１４４を形成するように皺ませる。
【００４０】
このように、サイドエアバッグ装置１００は、テザーカッター１３４が非作動な状態において、パッチ１２６がテザー１３０によりクッション１１０の後方に引っ張られると、クッション１１０の上記部位１４２に皺１４４が寄ることでベントホール１２４が塞がれるように構成されている。
【００４１】
このような皺１１４を形成する挙動は、図５（ｂ）に示すテザー１３０の切断前におけるテザー１３０の長手方向の寸法Ｌｂと、パッチ１２６の長手方向の寸法Ｌｃとを合計した第２寸法Ｌｄを、図３（ｂ）に示すテザー１３０の切断後における上記第１寸法Ｌａよりも短く調節することで可能となる。
【００４２】
またパッチ１２６がガイド布１４０を通過しながら車両後方に動くため、パッチ１２６の開口１３６は、ガイド布１４０に覆われる。このようにテザー１３０の切断前では、基布１１６の部位１４２に位置するベントホール１２４は閉じられ、パッチの開口１３６もガイド布１４０で覆われるため、クッション１１０のガスの排出は防がれる。
【００４３】
図６は、図４のサイドエアバッグ装置１００を上方から見た状態を例示する模式図である。なお図中に鎖線で示すクッション１１０Ａは、テザー１３０が存在せず基布１１６を皺ませる構成を有さない比較例として示している。
【００４４】
テザー１３０は、図示のように、クッション１１０の基布１１６の外側を通ってテザーカッター１３４で切断可能な位置を通過してシートバック１０６内の第２結合部１３２まで延びている。第２結合部１３２は、テザー１３０がシートバック１０６内のシートフレーム１２０にインフレータ１１４と共締めされ固定された箇所とされる。
【００４５】
クッション１１０は、上記したようにテザー１３０に引っ張られたパッチ１２６が基布１１６の部位１４２に皺１４４を形成するほどに、基布１１６を車両前後方向に縮めている。このため、クッション１１０は、その車両前後方向の寸法Ｌｅが比較例のクッション１１０Ａの寸法Ｌｆに比べて短くなり、その一方で、車幅方向の寸法Ｌｇがクッション１１０Ａの寸法Ｌｈに比べて長くなり厚みが増す。
【００４６】
したがって、サイドエアバッグ装置１００によれば、テザー１３０の切断前の状態で、クッション１１０が乗員１１２に接近するため、乗員拘束をより早期に行うことができる。さらにテザー１３０の切断前ではクッション１１０からガスが排出されないため、クッション１１０の圧力は高い状態に保たれ、乗員を十分に拘束できる。
【００４７】
一方、サイドエアバッグ装置１００では、衝突速度が所定値以上であった場合は、制御部１３８によってテザーカッター１３４が作動し、テザー１３０が切断される。テザー１３０が切断されると、クッション１１０の膨張展開力によってパッチ１２６が車両前方に動く。
【００４８】
パッチ１２６が車両前方に動くと、クッション１１０の基布１１６の部位１４２に形成されていた皺１４４がなくなり、その結果、皺１４４の中で閉じられていたベントホール１２４が開く（図３参照）。またパッチ１２６が車両前方に動くときガイド布１４０を通過するので、ガイド布１４０で覆われていたパッチ１２６の開口１３６も出現する。そして、パッチ１２６の開口１３６がベントホール１２４と重なることで、クッション１１０内のガスを外部に排出できる。
【００４９】
つまり、テザーカッター１３４は、所定の条件下で作動状態となりテザー１３０を切断し、パッチ１２６を車両前方に位置させ、開口１３６とベントホール１２４とを重ねた状態にできる。なお、テザーカッター１３４を作動（テザー１３０を切断）させる所定の条件とは、展開時のクッション１１０を柔らかくしたい場合であり、たとえば、一例として小柄な一般成人女性に相当する乗員が乗車しているような場合（条件）には一様に作動するようにしてもよい。また別の例としては、大柄な一般成人男性に相当するような乗員が乗車しているような場合、側面からの衝突速度が比較的大きいときには作動させて柔らかくし、側面からの衝突速度が小さいときには作動させずに、比較的硬い状態で使用するようにしても良い。
【００５０】
したがって、サイドエアバッグ装置１００によれば、図２に示すテザー１３０の切断後の状態で、クッション１１０の内圧が抑えられるため、乗員１１２がクッション１１０に衝突した時に受ける反力を抑制できる。
【００５１】
また、図５に示すようにパッチ１２６は、ガイド布１４０に案内されこれを通過しながら、テザー１３０の切断前にはテザー１３０に引っ張られ車両後方に動く。そして図３に示すようにパッチ１２６は、テザー１３０の切断後には膨張展開力によって車両前方に動く。つまりパッチ１２６は、ガイド布１４０に案内され車両前後方向に動くため、車両上下方向の位置が安定する。よってパッチ１２６の切断後、パッチ１２６の開口１３６は、ベントホール１２４と確実に重なることができる。
【００５２】
さらに、図５（ａ）に示すようにパッチ１２６は、ベントホール１２４の少なくとも上下の高さ位置１２９にわたってクッション１１０に結合されている。このため、パッチ１２６は、クッション１１０のうちベントホール１２４の位置する部位１４２を皺ませてベントホール１２４を塞ぐことがより確実に可能となる。
【００５３】
図２に示すように、また本実施形態では、延伸部としてパッチ１２６とは別体のテザー１３０を用いたので、取り回し易くまたテザーカッター１３４で切断され易くできる。ただし、クッション１１０の膨張展開時にパッチ１２６を車両後方に引っ張ることで、クッション１１０を皺ませてベントホール１２４を塞ぐように長さを短く調整可能であれば、延伸部はテザー１３０に限られない。一例として延伸部は、パッチ１２６から連続したパッチ１２６よりも幅の細い部位としてもよい。このようにすれば別体の布を用意せずに延伸部を形成できる。
【００５４】
図６に示すように、さらに上記実施形態では、テザー１３０が第２結合部１３２にてシートバック１０６内のシートフレーム１２０にインフレータ１１４と共締め固定されているとしたが、これに限定されない。一例として、テザー１３０は、第２結合部１３２にて、シートフレーム１２０に単独で固定されていてもよく、また、基布１１６に縫製されていてもよい。いずれも場合であっても、クッション１１０の膨張展開時に、テザー１３０がパッチ１２６を車両後方に引っ張ることで、パッチ１２６がクッション１１０を皺ませてベントホール１２４を塞ぐことができる。
【００５５】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００５６】
また、上記実施形態においては本発明にかかるサイドエアバッグ装置１００を自動車に適用した例を説明したが、自動車以外にも航空機や船舶などに適用することも可能であり、同様の作用効果を得ることができる。
【産業上の利用可能性】
【００５７】
本発明は、ガスを供給するインフレータと、車両の座席の側部に設置され側部から車両前方にガスによって膨張可能なエアバッグクッションとを備えたサイドエアバッグ装置に利用することができる。
【符号の説明】
【００５８】
１００…サイドエアバッグ装置、１０２…車両、１０４…座席、１０６…シートバック、１０８…サイドドア、１１０…クッション、１１２…乗員、１１４…インフレータ、１１６、１１８…基布、１２０…シートフレーム、１２２…スタッドボルト、１２４…ベントホール、１２６…パッチ、１２８…第１結合部、１２９…ベントホールの上下の高さ位置、１３０…テザー、１３２…第２結合部、１３４…テザーカッター、１３６…開口、１３８…制御部、１４０…ガイド布、１４２…基布の部位、１４４…皺
【図１】
0006402136.tif 000002
【図２】
0006402136.tif 000003
【図３】
0006402136.tif 000004
【図４】
0006402136.tif 000005
【図５】
0006402136.tif 000006
【図６】
0006402136.tif 000007